(57)【要約】      （修正有）【課題】電極が見られることを防止するために該電極を隠すことができる導電層を備える抵抗式タッチパネルを提供する。【解決手段】抵抗式タッチパネルは、上方モジュール１０と、下方モジュール２０と、スペーサー３０とを含む。前記上方モジュールは、基板と、上方接触層と、上方絶縁層と、２つの上方電極１４と、２つの導電層１４０とを備える。前記導電層は前記上方電極と前記基板との間にあって前記上方接触層の２つの側部に取り付けられている。前記下方モジュールは、ベースと、下方接触層と、下方絶縁層と、２つの下方電極とを備える。前記スペーサーは、前記上方モジュールの前記上方接触層と前記下方モジュールの前記下方接触層とを隔てるために前記上方モジュールの前記上方接触層と前記下方モジュールの前記下方接触層との間に配置されている。前記導電層は、前記上方電極が見られることを防止するために該上方電極を隠すことができる。【選択図】図１
0003169861.tif 000002
【実用新案登録請求の範囲】
【請求項１】
上部及び下部を有する基板と、該基板の前記下部に取り付けられ、２つの側部を有する上方接触層と、該上方接触層の周囲にあって前記基板の前記下部の縁部分に形成された上方絶縁層と、前記上方接触層と前記上方絶縁層との間にあって前記上方接触層の前記側部に取り付けられた２つの上方電極と、それぞれが前記上方電極と前記基板との間にあって前記上方接触層の前記側部に取り付けられた２つの導電層とを備える上方モジュールと、
上部を有するベースと、前記上方接触層と空間的に対応する下方接触層と、該下方接触層の周囲にあって前記ベースの前記上部の縁部分に形成された下方絶縁層と、前記下方接触層と前記下方絶縁層との間にあって前記下方接触層の２つの側部に取り付けられた２つの下方電極とを備える下方モジュールと、
前記上方モジュールの前記上方接触層と前記下方モジュールの前記下方接触層との間に配置されたスペーサーと、
前記スペーサーの周囲にあって前記上方絶縁層と前記下方絶縁層との間に配置された接着層と、
前記接着層に取り付けられ、前記上方モジュールと前記下方モジュールとの間にあって前記上方電極と前記下方電極とに電気的に接続された柔軟な回路基板とを含む、抵抗式タッチパネル。
【請求項２】
前記上方モジュールは、それぞれが前記上方絶縁層に形成され、前記上方電極に接続された２つの導電ワイヤと、
それぞれが前記上方絶縁層に取り付けられ、前記導電ワイヤに接続された２つの端子とを備え、
前記下方モジュールは、それぞれが前記下方絶縁層に形成された２つの導電ワイヤと、
それぞれが前記下方絶縁層に取り付けられ、前記導電ワイヤに接続された２つの端子とを備える、請求項１に記載の抵抗式タッチパネル。
【請求項３】
前記上方モジュールは、前記上方電極と前記接着層との間に配置された第２の絶縁層であってそれぞれが前記上方モジュールの前記端子を受け入れる２つの貫通穴を有する第２の絶縁層を備え、
前記下方モジュールは、前記下方電極と前記接着層との間に配置された第２の絶縁層であってそれぞれが前記下方モジュールの前記端子を受け入れる２つの貫通穴を有する第２の絶縁層を備え、
前記上方モジュールの前記端子の外面と前記上方モジュールの前記第２の絶縁層の外面とは実質的に同一面上にあり、前記下方モジュールの前記端子の外面と前記下方モジュールの前記第２の絶縁層の外面とは実質的に同一面上にある、請求項２に記載の抵抗式タッチパネル。
【請求項４】
前記上方モジュールの前記基板の前記上部に取り付けられ、少なくとも１つのアイコン部分を有するパターン層と、
前記上方モジュールの前記上方接触層又は前記下方モジュールの前記下方接触層における前記アイコン部分と対応する位置に設けられた機能領域と、
前記上方モジュールの前記基板と前記パターン層との間に配置された第３の絶縁層とを含む、請求項１ないし３のいずれか１項に記載の抵抗式タッチパネル。
【請求項５】
前記スペーサーは複数のスペーサードットからなる、請求項１ないし３のいずれか１項に記載の抵抗式タッチパネル。
【請求項６】
前記回路基板は、前記上方モジュールの前記端子と前記下方モジュールの前記端子とに電気的に接続された４つのピンを有し、これにより前記上方接触層と前記下方接触層と前記導電ワイヤとが電気的に接続されている、請求項２又は３に記載の抵抗式タッチパネル。
【考案の詳細な説明】
【技術分野】
【０００１】
本考案は、抵抗式タッチパネルに関し、具体的には、電極が見られることを防止するために該電極を隠すことができる導電層を備える抵抗式タッチパネルに関する。
【背景技術】
【０００２】
現代の電子装置によりもたらされる利便性を高めるため、多くの電子装置が使用者にとってより使い易くなっている。このため、キーボードの代わりに、タッチパネルが、使用者の便宜のため、電子装置を制御するために入力装置として圧倒的に多く使用されている。一般的なタッチパネルは、動作原理によって、抵抗式タッチパネル、静電容量式タッチパネル、超音波式タッチパネル及び光学イメージング式タッチパネルに分類されている。前記抵抗式タッチパネル及び前記静電容量式タッチパネルが市場において支配的である。しかし、前記抵抗式タッチパネルは、他のタッチパネルと比べて透明性が低く、傷付き易くかつ耐炎性がないという欠点を有する。それにもかかわらず、前記抵抗式タッチパネルは、安い製造コスト及び手袋による妨害がない操作の容易性のために市場の大部分を占めている。
【０００３】
従来の抵抗式タッチパネルは、上方基板と、該上方基板と類似の構造を有する下方基板とを備える。前記上方基板は、導電層と、複数の銀電極と、環状の絶縁層と、端子とを有する。前記導電層は前記上方基板の下部に取り付けられている。前記銀電極は前記導電層の縁部に取り付けられており、各銀電極はその端部に端子を有する。前記絶縁層は前記銀電極から離れて前記上方基板の前記下部の縁部に取り付けられている。前記端子は、前記絶縁層に取り付けられており、前記銀電極をＴ字状の柔軟なケーブルに電気的に接続する。前記上方基板は前記抵抗式タッチパネルの組立て後に外側に配置されており、前記銀電極は、使用者の目に触れ、外観が悪い。また、前記端子は、前記絶縁層の面から突出しており、前記抵抗式タッチパネルに輪郭を有する面を形成するように前記上方基板と前記下方基板との間に空間を生じさせる。
【考案の概要】
【考案が解決しようとする課題】
【０００４】
本考案は、前記した問題点を改善する新規な抵抗式タッチパネルを提供する。
【０００５】
本考案の目的は、電極が見られることを防止するために該電極を隠すことができる導電層を備える抵抗式タッチパネルを提供することである。
【課題を解決するための手段】
【０００６】
本考案に係る抵抗式タッチパネルは、上方モジュールと、下方モジュールと、スペーサーと、接着層と、柔軟な回路基板とを含む。
【０００７】
前記上方モジュールは、基板と、上方接触層と、上方絶縁層と、２つの上方電極と、２つの導電層とを備える。前記上方接触層は前記基板の下部に取り付けられている。前記上方絶縁層は前記上方接触層の周囲にあって前記基板の前記下部の縁部分に形成されている。前記上方電極は前記上方接触層と前記上方絶縁層との間にあって前記上方接触層の２つの側部に取り付けられている。前記導電層は前記上方電極と前記基板との間にあって前記上方接触層の前記側部に取り付けられている。
【０００８】
前記下方モジュールは、ベースと、下方接触層と、下方絶縁層と、２つの下方電極とを備える。前記下方接触層は空間的に前記上方接触層と対応しかつ整列されている。前記下方絶縁層は前記下方接触層の周囲にあって前記ベースの上部の縁部分に形成されている。前記下方電極は、前記下方接触層と前記下方絶縁層との間にあって前記下方接触層の２つの側部に取り付けられており、実質的に前記上方電極と重なっていない。
【０００９】
前記スペーサーは前記上方モジュールの前記上方接触層と前記下方モジュールの前記下方接触層との間に配置されている。
【００１０】
前記接着層は前記スペーサーの周囲にあって前記上方絶縁層と前記下方絶縁層との間に配置されている。
【００１１】
前記回路基板は、前記接着層に取り付けられ、前記上方モジュールと前記下方モジュールとの間にあって前記上方電極と前記下方電極とに電気的に接続されている。
【００１２】
本考案の他の目的、利点及び新規な特徴は、添付の図面に関する以下の詳細な説明からより明らかになる。
【図面の簡単な説明】
【００１３】
【図１】本考案に係る抵抗式タッチパネルの分解斜視図。
【図２】図１の線２における抵抗式タッチパネルの縦断面図。
【図３】図１の線３における抵抗式タッチパネルの縦断面図。
【図４】図１に示した抵抗式タッチパネルの他の分解斜視図。
【図５】本考案に係る抵抗式タッチパネルの平面図。
【考案を実施するための形態】
【００１４】
図１に示すように、抵抗式タッチパネルは、上方モジュール１０と、下方モジュール２０と、スペーサー３０と、接着層４０と、柔軟な回路基板５０とを含む。
【００１５】
図１、２を参照すると、上方モジュール１０は、基板１１と、上方接触層１２と、上方絶縁層１３と、２つの上方電極１４と、２つの導電層１４０と、２つの導電ワイヤ１５と、２つの端子１６と、第２の絶縁層１７とを備える。基板１１は、ポリエチレンテレフタレート（PET）又はその代替材料で作られており、上部と、下部とを有する。上方接触層１２、上方絶縁層１３、上方電極１４及び導電層１４０は基板１１の前記下部に取り付けられている。上方接触層１２は、インジウムスズ酸化物（ITO）又はその代替材料のような透明な導電性材料で作られており、２つの側部を有する。上方絶縁層１３は上方接触層１２の周囲にあって基板１１の前記下部の縁部分に形成されている。上方電極１４は上方接触層１２と上方絶縁層１３との間にあって上方接触層１２の前記側部に取り付けられている。導電層１４０は、カーボンブラック、金属粉末又はこれらの代替材料で作られており、上方接触層１２の前記側部に取り付けられている。各導電層１４０は上方電極１４と基板１１との間にある。
【００１６】
下方モジュール２０は、ベース２１と、下方接触層２２と、下方絶縁層２３と、２つの下方電極２４と、２つの導電ワイヤ２５と、２つの端子２６と、第２の絶縁層２７とを備える。ベース２１は、ガラス又はその代替材料で作られており、上部を有する。下方接触層２２、下方絶縁層２３及び下方電極２４はベース２１の前記上部に取り付けられている。下方接触層２２は、インジウムスズ酸化物又はその代替材料のような透明な導電性材料で作られており、上方接触層１２と空間的に対応している。下方絶縁層２３は下方接触層２２の周囲にあってベース２１の前記上部の縁部分に形成されている。下方電極２４は下方接触層２２と下方絶縁層２３との間にあって下方接触層２２の２つの側部に取り付けられている。下方電極２４は実質的に上方電極１４と重なっていない。
【００１７】
図３に示すように、各導電ワイヤ１５、２５は、上方絶縁層１３又は下方絶縁層２３に形成されており、前端部と、後端部とを有する。導電ワイヤ１５、２５の前記前端部は、対応する上方電極１４又は下方電極２４に接続されている。上方モジュール１０の端子１６及び下方モジュール２０の端子２６はそれぞれ上方絶縁層１３及び下方絶縁層２３に取り付けられている。各端子１６、２６は、対応する導電ワイヤ１５、２５の前記後端部に接続されており、対応する上方絶縁層１３又は下方絶縁層２３から突出している。上方モジュール１０の第２の絶縁層１７及び下方モジュール２０の第２の絶縁層２７はそれぞれ上方電極１４と接着層４０との間及び下方電極２４と接着層４０との間に配置されている。各第２の絶縁層１７、２７は、２つの貫通穴１７０、２７０と、取付け面とを有する。各貫通穴１７０、２７０は上方モジュール１０又は下方モジュール２０の対応する端子１６、２６を受け入れており、端子１６、２６の外面と、対応する第２の絶縁層１７、２７の外面とは実質的に同一面上にある。
【００１８】
スペーサー３０は、上方モジュール１０の上方接触層１２と下方モジュール２０の下方接触層２２とを隔てるために上方モジュール１０の上方接触層１２と下方モジュール２０の下方接触層２２との間に配置されており、基本的に複数のスペーサードット３００からなる。
【００１９】
接着層４０はスペーサー３０の周囲にあって上方モジュール１０の上方絶縁層１３と下方モジュール２０の下方絶縁層２３との間に配置されており、これにより上方モジュール１０と下方モジュール２０とは互いに固定されている。
【００２０】
回路基板５０は、接着層４０に取り付けられており、上方モジュール１０と下方モジュール２０との間にあり、４つのピン５００を有する。各ピン５００は上方モジュール１０及び下方モジュール２０の対応する端子１６、２６に電気的に接続されており、これにより上方接触層１２と下方接触層２２と導電ワイヤ１５、２５とは信号及び電気を送るために電気的に接続されている。
【００２１】
図４及び５に示す例では、前記抵抗式タッチパネルは、パターン層１００と、第３の絶縁層１０２と、機能領域１２０とを含む。パターン層１００は、透明であり、上方モジュール１０の基板１１の前記上部に取り付けられており、少なくとも１つのアイコン部分１０１を有する。第３の絶縁層１０２は上方モジュール１０の基板１１とパターン層１００との間に配置されている。第３の絶縁層１０２は、黒く、エリアを有する。第３の絶縁層１０２の前記エリアはアイコン部分１０１を明らかにするためにアイコン部分１０１の背景になっている。機能領域１２０は上方モジュール１０の上方接触層１２又は下方モジュール２０の下方接触層２２における第３の絶縁層１０２の前記エリアと対応する位置に設けられている。機能領域１２０は、前記抵抗式タッチパネルとともにディスプレーを製造している間に前記抵抗式タッチパネルにおける機能領域１２０の位置に応じてソフトウエアによりプログラムが作られている。好ましくは、アイコン部分１０１は、ホームページ、楽譜又は検索ツールを表すパターンを有する。
【００２２】
上方モジュール１０の導電層１４０は上方電極１４に取り付けられており、これにより導電層１４０は上方電極１４を隠している。このため、前記抵抗式タッチパネルに対する使用者の美的な感覚又は知覚を妨げるように上方電極１４が前記使用者に視覚的に曝されることがない。第２の絶縁層１７、２７の貫通穴１７０、２７０が、対応する端子を受け入れているため、従来の抵抗式タッチパネルのように輪郭を有する面が形成されることを防止し、回路基板５０と上方モジュール１０と下方モジュール２０との結合を強固にすることができる。
【符号の説明】
【００２３】
１０    上方モジュール
１１    基板
１２    上方接触層
１３    上方絶縁層
１４    上方電極
１５    導電ワイヤ
１６、２６    端子
１７、２７    第２の絶縁層
２０    下方モジュール
２１    ベース
２２    下方接触層
２３    下方絶縁層
２４    下方電極
２５    導電ワイヤ
３０    スペーサー
４０    接着層
５０    回路基板
１００    パターン層
１０１    アイコン部分
１０２    第３の絶縁層
１２０    機能領域
１４０    導電層
１７０、２７０    貫通穴
３００    スペーサードット
５００    ピン
【図１】
0003169861.tif 000003
【図２】
0003169861.tif 000004
【図３】
0003169861.tif 000005
【図４】
0003169861.tif 000006
【図５】
0003169861.tif 000007